【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
レシピエント雌動物の生殖器系に移植された哺乳類胚を保護する方法であって、
プロスタグランジンＦ２αの胎児毒性作用から前記胚を保護するのに十分な量と時間で、プロスタグランジンアンタゴニストである化学物質に前記胚を暴露する工程
を有する方法。
【請求項２】
請求項１記載の方法において、前記胚は、前記プロスタグランジンアンタゴニストを含有する培養液中に存在する間、前記プロスタグランジンアンタゴニストに暴露されているものである。
【請求項３】
請求項１記載の方法において、前記胚は、ウシ胚である。
【請求項４】
請求項１記載の方法において、前記胚は、収縮前の胚、収縮胚、及び収縮後の胚から成る群から選択されるものである。
【請求項５】
請求項１の方法において、前記胚は、胚盤胞である。
【請求項６】
請求項１記載の方法において、前記プロスタグランジンアンタゴニストは、プロスタグランジンＦ２αの選択的アンタゴニストである。
【請求項７】
請求項１記載の方法において、前記プロスタグランジンアンタゴニストは、プロスタグランジン受容体アンタゴニストである。
【請求項８】
胚移植を実行するための方法であって、
レシピエント雌動物の子宮へ移植される胚を取得する工程と、
プロスタグランジンＦ２αの胎児毒性作用から前記胚を保護するのに十分な量と時間で、プロスタグランジンアンタゴニストに前記胚を暴露する工程と、
前記レシピエント雌動物の子宮へ前記胚を移植する工程と
を有する方法。
【請求項９】
請求項８記載の方法において、前記胚は、前記胚がプロスタグランジンアンタゴニストを含有する培養液中に存在する間、前記プロスタグランジンアンタゴニストに暴露されるものである。
【請求項１０】
請求項８記載の方法において、前記胚は、ウシ胚である。
【請求項１１】
請求項８記載の方法において、前記胚は、収縮前の胚、収縮胚、及び収縮後の胚から成る群から選択されるものである。
【請求項１２】
請求項８の方法において、前記胚は、胚盤胞である。
【請求項１３】
請求項８記載の方法において、前記プロスタグランジンアンタゴニストは、プロスタグランジンＦ２αの選択的アンタゴニストである。
【請求項１４】
請求項８記載の方法において、前記プロスタグランジンアンタゴニストは、プロスタグランジン受容体アンタゴニストである。
【請求項１５】
胚移植或いは卵母細胞成熟において使用する培養液であって、
プロスタグランジンＦ２αの胎児毒性作用から、前記培養液に入れられた胚或いは前記培養液に置かれた卵母細胞の受精によって生じた胚を保護するのに有効な濃度で、プロスタグランジンアンタゴニストを有するものである培養液。
【請求項１６】
請求項１５記載の培養液であって、この培養液は、レシピエント雌動物へ移植される胚を保持、回収、培養、凍結、処置、及び移植するための培養液から成る群から選択されるものである。
【請求項１７】
請求項１５記載の培養液において、前記プロスタグランジンアンタゴニストは、プロスタグランジンＦ２αの選択的アンタゴニストである。
【請求項１８】
請求項１５記載の培養液において、前記プロスタグランジンアンタゴニストは、プロスタグランジン受容体アンタゴニストである。
【請求項１９】
プロスタグランジンＦ２αの胎児毒性作用に対して前記胚を保護するのに有効な量と時間で、プロスタグランジンアンタゴニストに暴露された非ヒト哺乳類胚。
【請求項２０】
請求項１９記載の胚において、前記胚は、ウシ胚である。
【請求項２１】
請求項１９記載の胚において、前記胚は、収縮前の胚、収縮胚、及び収縮後の胚から成る群から選択されるものである。
【請求項２２】
請求項１９記載の胚において、前記胚は、胚盤胞である。
【請求項２３】
請求項１９記載の胚において、前記プロスタグランジンアンタゴニストは、プロスタグランジンＦ２αの選択的アンタゴニストである。
【請求項２４】
請求項１９記載の胚において、前記プロスタグランジンアンタゴニストは、プロスタグランジン受容体アンタゴニストである。
【請求項２５】
プロスタグランジンＦ２αの毒性作用から哺乳類胚を保護する方法であって、この方法は、
胚形成のために受精させる卵母細胞を取得する工程と、
プロスタグランジンＦ２αの毒性作用から前記卵母細胞を保護するのに十分な量と時間で、プロスタグランジンアンタゴニストである化学物質に前記卵母細胞を暴露する工程と
を有する方法。
【請求項２６】
請求項２５記載の方法において、前記卵母細胞は、この卵母細胞が前記プロスタグランジンＦ２αアンタゴニストを含有する培養液中にある期間、前記化学物質に暴露されているものである。
【請求項２７】
請求項２５記載の方法において、前記Ｆ２αプロスタグランジンアンタゴニストは、プロスタグランジン受容体アンタゴニストである。
【請求項２８】
請求項２５記載の方法において、前記卵母細胞は、ウシ胚である。
【請求項２９】
胚移植を実行するための方法であって、
レシピエント雌動物の子宮へ移植される哺乳類胚を取得する工程であって、前記胚は化学物質に暴露された卵母細胞から生成されたものであり、この卵母細胞をプロスタグランジンＦ２αの毒性作用から前記卵母細胞を保護するのに十分な量と時間で、プロスタグランジンＦ２αアンタゴニストである化学物質に暴露されるものである、前記取得する工程と、
前記胚と同じ種のレシピエント雌動物の子宮へ前記胚を移植する工程と
を有する方法。
【請求項３０】
請求項２９記載の方法において、前記卵母細胞は、この卵母細胞プロスタグランジンＦ２αアンタゴニストを含む培養液中にがある期間、前記化学物質に暴露されたものである。
【請求項３１】
請求項２９記載の方法において、前記胚は、ウシ胚である。
【請求項３２】
請求項２９記載の方法において、前記胚は、収縮前の胚、収縮胚、及び収縮後の胚から成る群から選択されるものである。
【請求項３３】
請求項２９記載の方法において、前記胚は、胚盤胞である。
【請求項３４】
請求項２９記載の方法において、前記プロスタグランジンＦ２αアンタゴニストは、プロスタグランジンＦ２α受容体アンタゴニストである。
【請求項３５】
プロスタグランジンＦ２αに暴露された卵母細胞から形成された非ヒト哺乳類胚であって、前記卵母細胞は、この卵母細胞の受精により形成される胚をプロスタグランジンＦ２αの毒性作用に対して保護するのに有効な量と時間で、プロスタグランジンＦ２αアンタゴニストに暴露された卵母細胞から形成されたものである、非ヒト哺乳類胚。
【請求項３６】
請求項３５記載の胚において、前記胚は、ウシ胚である。
【請求項３７】
請求項３５記載の胚において、前記胚は、収縮前の胚、収縮胚、及び収縮後の胚から成る群から選択されるものである。
【請求項３８】
請求項３５記載の胚において、前記胚は、胚盤胞である。
【請求項３９】
請求項３５記載の胚において、前記プロスタグランジンアンタゴニストは、プロスタグランジン受容体アンタゴニストである。
【手続補正２】
【補正対象書類名】明細書
【補正対象項目名】０００８
【補正方法】変更
【補正の内容】
【０００８】
従って、先行技術において、ＰＧＦ２αは、胚の質、及び桑実段階を超えて発達する胚の発達率或いは能力を抑制することにより、ウシの胚生存に対して有害な影響を及ぼすことが開示されている。先行技術ではさらに、ＰＧＦ２αによるこのような有害な影響は、胚移植時にプロスタグランジン阻害剤でレシピエントウシを処理することによって減少させる、従って、胚が暴露されるＰＧＦ２αのレベルを有効的に減少させることが可能であることが開示されている。
この出願の発明に関連する先行技術文献情報としては、以下のものがある（国際出願日以降国際段階で引用された文献及び他国に国内移行した際に引用された文献を含む）。
【特許文献１】米国特許第６，１００，２４９号明細書
【特許文献２】米国特許第５，７６０，０２４号明細書
【特許文献３】米国特許第６，３００，３１２号明細書
【非特許文献１】ＥＬＬＩ，  Ｍ．  ｅｔ  ａｌ．，  "Ｅｆｆｅｃｔ  ｏｆ  ａ  ｓｉｎｇｌｅ  ｄｏｓｅ  ｏｆ  ｉｂｕｐｒｏｆｅｎ  ｌｙｓｉｎａｔｅ  ｂｅｆｏｒｅ  ｅｍｂｒｙｏ  ｔｒａｎｓｆｅｒ  ｏｎ  ｐｒｅｇｎａｎｃｙ  ｒａｔｅｓ  ｉｎ  ｃｏｗｓ"，  Ｒｅｐｒｏｄｕｃｔｉｏｎ，  １２１：  １５１−１５４（２００１）
【非特許文献２】ＧＲＩＦＦＥＮ，  ＢＷ，  ｅｔ  ａｌ，  "ＡＬ−８８１０：  Ａ  ｎｏｖｅｌ  ｐｒｏｓｔａｇｌａｎｄｉｎ  Ｆ２α  ａｎａｌｏｇ  ｗｉｔｈ  ｓｅｌｅｃｔｉｖｅ  ａｎｔａｇｏｎｉｓｔ  ｅｆｆｅｃｔｓ  ａｔ  ｔｈｅ  ｐｒｏｓｔａｇｌａｎｄｉｎ  Ｆ２α（ＦＰ）  ｒｅｃｅｐｔｏｒ"，  Ｊ．  Ｐｈａｒｍａｃｏｌｏｇｙ  ａｎｄ  Ｅｘｐｅｒｉｍｅｎｔａｌ  Ｔｈｅｒａｐｅｕｔｉｃｓ，  ２９０（３）：  １２７８−１２８４（１９９９）
【非特許文献３】ＨＯＣＫＥＴＴ，  ＭＥ，  ｅｔ  ａｌ，  "Ａｌｔｅｒａｔｉｏｎｓ  ｉｎ  ｅｍｂｒｙｏ  ｄｅｖｅｌｏｐｍｅｎｔ  ｉｎ  ｐｒｏｇｅｓｔｏｇｅｎ−ｓｕｐｐｌｅｍｅｎｔｅｄ  ｃｏｗｓ  ａｄｍｉｎｉｓｔｅｒｅｄ  ｐｒｏｓｔａｇｌａｎｄｉｎ  Ｆ２α"，  Ｐｒｏｓｔａｇｌａｎｄｉｎ  &  ｏｔｈｅｒ  Ｌｉｐｉｄ  Ｍｅｄｉａｔｏｒｓ，  ７３：２２７−２３６（２００４）
【非特許文献４】Ｒｕｂｉｎｓｔｅｉｎ，  Ｍ，  ｅｔ  ａｌ，  "Ｌｏｗ−ｄｏｓｅ  ａｓｐｉｒｉｎ  ｔｒｅａｔｍｅｎｔ  ｉｍｐｒｏｖｅｓ  ｏｖａｒｉａｎ  ｒｅｓｐｏｎｓｉｖｅｎｅｓｓ，  ｕｔｅｒｉｎｅ  ａｎｄ  ｏｖａｒｉａｎ  ｂｌｏｏｄ  ｆｌｏｗ  ｖｅｌｏｃｉｔｙ，  ｉｍｐｌａｎｔａｔｉｏｎ，  ａｎｄ  ｐｒｅｇｎａｎｃｙ  ｒａｔｅｓ  ｉｎ  ｐａｔｉｅｎｔｓ  ｕｎｄｅｒｇｏｉｎｇ  ｉｎ  ｖｉｔｒｏ  ｆｅｒｔｉｌｉｚａｔｉｏｎ：  ａ  ｐｒｏｓｐｅｃｔｉｖｅ，  ｒａｎｄｏｍｉｚｅｄ，  ｄｏｕｂｌｅ−ｂｌｉｎｄ  ｐｌａｃｅｂｏ−ｃｏｎｔｒｏｌｌｅｄ  ａｓｓａｙ"，  Ｆｅｒｔｉｌｉｔｙ  ａｎｄ  Ｓｔｅｒｉｌｉｔｙ，  ７１（５）：  ８２５−８２９  （１９９９）
【非特許文献５】ＳＣＥＮＮＡ，  ＦＮ，  ｅｔ  ａｌ，  "Ｄｅｔｒｉｍｅｎｔａｌ  ｅｆｆｅｃｔｓ  ｏｆ  ｐｒｏｓｔａｇｌａｎｄｉｎ  Ｆ２α  ｏｎ  ｐｒｅ−ｉｍｐｌａｎｔａｔｉｏｎ  ｂｏｖｉｎｅ  ｅｍｂｒｙｏｓ"，  Ｐｒｏｓｔａｇｌａｎｄｉｎｓ  &  ｏｔｈｅｒ  Ｌｉｐｉｄ  Ｍｅｄｉａｔｏｒｓ，  ７３：  ２１５−２２６（２００４）
【非特許文献６】ＳＣＨＲＩＣＫ，  ＦＮ，  ｅｔ  ａｌ，  "Ｐｒｏｓｔａｇｌａｎｄｉｎ  Ｆ２α  ａｐｐｅａｒｓ  ｔｏ  ｄｉｒｅｃｔｌｙ  ｉｎｆｌｕｅｎｃｅ  ｅａｒｌｙ  ｅｍｂｒｙｏｎｉｃ  ｓｕｒｖｉｖａｌ  ｉｎ  ｃａｔｔｌｅ：  Ｗｏｕｌｄ  ａｄｍｉｎｉｓｔｒａｔｉｏｎ  ｏｆ  ｆｌｕｎｉｘｉｎ  ｍｅｇｌｕｍｉｎｅ  ｂｅ  ｂｅｎｅｆｉｃｉａｌ  ｄｕｒｉｎｇ  ｅｍｂｒｙｏ  ｔｒａｎｓｆｅｒ？"，  Ｉｎ：  Ｐｒｏｃｅｅｄｉｎｇｓ  ｏｆ  ｔｈｅ  Ａｍｅｒｉｃａｎ  Ｅｍｂｒｙｏ  ｔｒａｎｓｆｅｒ  Ａｓｓｏｃｉａｔｉｏｎ，  Ｓａｃｒａｍｅｎｔｏ  ＣＡ，  ｐａｇｅｓ  ９−１６（２０００）
【非特許文献７】ＳＨＡＲＩＦ，  ＮＡ，  ｅｔ  ａｌ，  "Ｂｉｍａｔｏｐｒｏｓｔ  ａｎｄ  ｉｔｓ  ｆｒｅｅ  ａｃｉｄ  ａｒｅ  ｐｒｏｓｔａｇｌａｎｄｉｎ  ＦＰ  ｒｅｃｅｐｔｏｒ  ａｇｏｎｉｓｔｓ"，  Ｅｕｒｏｐｅａｎ  Ｊｏｕｒｎａｌ  ｏｆ  Ｐｈａｒｍａｃｏｌｏｇｙ，  ４３２：  ２１１−２１３（２００１）
【非特許文献８】ＷＡＬＤＥＮＳＴＲＯＭ，  Ｕ．，  ｅｔ  ａｌ，  "Ｌｏｗ−ｄｏｓｅ  ａｓｐｉｒｉｎ  ｉｎ  ａ  ｓｈｏｒｔ  ｒｅｇｉｍｅｎ  ａｓ  ｓｔａｎｄａｒｄ  ｔｒｅａｔｍｅｎｔ  ｉｎ  ｖｉｔｒｏ  ｆｅｒｔｉｌｉｚａｔｉｏｎ：  ａ  ｒａｎｄｏｍｉｚｅｄ，  ｐｒｏｓｐｅｃｔｉｖｅ  ｓｔｕｄｙ"，  Ｆｅｒｔｉｌｉｔｙ  ａｎｄ  Ｓｔｅｒｉｌｉｔｙ，  ８１（６）：  １５６０−１５６４（２００４）
【非特許文献９】ＰＵＧＨ，  ＭＬ，  ｅｔ  ａｌ，  "Ｉｎｆｌｕｅｎｃｅ  ｏｆ  Ｐｒｏｓｔａｇｌａｎｄｉｎ  Ｆ２α  ｓｙｎｔｈｅｓｉｓ  ｉｎｈｉｂｉｔｏｒｓ  ｏｎ  ｐｒｅｇｎａｎｃｙ  ｒａｔｅｓ  ｏｆ  ｅｍｂｒｙｏ  ｔｒａｎｓｆｅｒ  ｒｅｃｉｐｉｅｎｔ  ｈｅｉｆｅｒｓ"，  １５ｔｈ  Ｉｎｔｅｒｎａｔｉｏｎａｌ  ｃｏｎｇｒｅｓｓ  ｏｎ  Ａｎｉｍａｌ  Ｒｅｐｒｏｄｕｃｔｉｏｎ（ＩＣＡＲ）  （２００４）
【非特許文献１０】ＭｃＮＡＵＧＨＴＡＮ，  ＪＷ，  ＥＴ  ＡＬ，  "Ｔｈｅ  Ｅｆｆｅｃｔ  ｏｆ  Ｐｒｏｓｔａｇｌａｎｄｉｎ  Ｉｎｈｉｂｉｔｏｒｙ  ｏｎ  Ｐｒｅｇｎａｎｃｙ  Ｒａｔｅｓ  ｏｆ  Ｈｅｉｆｅｒ  Ｅｍｂｒｙｏ  Ｔｒａｎｓｆｅｒ  Ｒｅｃｉｐｉｅｎｔｓ"，  Ｔｈｅｒｉｏｇｅｎｏｌｏｇｙ，  ５７（１）：  ５５１  （２００２）
【非特許文献１１】ＣＡＲＰ，  ｅｔ  ａｌ，  "Ｅｆｆｅｃｔ  ｏｆ  ｄｉｃｌｏｆｅｎａｃ  ｏｎ  ｉｍｐｌａｎｔａｔｉｏｎ  ａｎｄ  ｅｍｂｒｙｏｎｉｃ  ｄｅｖｅｌｏｐｍｅｎｔ  ｉｎ  ｔｈｅ  ｒａｔ"，  Ｅｕｒ．  Ｊ．  Ｏｂｓｔｅｔ．  Ｇｙｎｅｃｏｌ．  Ｒｅｐｒｏｄ．  Ｂｉｏｌ．，  ２８（３）：  ２７３−２７７（１９８８）  （Ａｂｓｔｒａｃｔ  Ｏｎｌｙ）
【非特許文献１２】ＮＯＶＡＲＯ，  Ｖ．  ｅｔ  ａｌ，  "Ｉｎｔｅｒａｃｔｉｏｎ  ｂｅｔｗｅｅｎ  ｕｔｅｒｉｎｅ  ＰＧＥ  ａｎｄ  ＰＧＦ２  ａｌｐｈａ  ｐｒｏｄｕｃｔｉｏｎ  ａｎｄ  ｔｈｅ  ｎｉｔｒｉｄｅｒｇｉｃ  ｓｙｓｔｅｍ  ｄｕｒｉｎｇ  ｅｍｂｒｙｏｎｉｃ  ｉｍｐｌａｎｔａｔｉｏｎ  ｉｎ  ｔｈｅ  ｒａｔ"，  Ｐｒｏｓｔａｇｌａｎｄｉｎｓ，  ５１（６）：  ３６３−３７６  （１９９６）  （Ａｂｓｔｒａｃｔ  Ｏｎｌｙ）
【非特許文献１３】ＳＨＡＲＩＦ，  ＮＡ，  ｅｔ  ａｌ，  "ＡＬ−３１３８  ａｎｔａｇｏｎｉｚｅｓ  ＦＰ  ｐｒｏｓｔａｎｏｉｄ  ｒｅｃｅｐｔｏｒ−ｍｅｄｉａｔｅｄ  ｉｎｏｓｉｔｏｌ  ｐｈｏｓｐｈａｔｅｓ  ｇｅｎｅｒａｔｉｏｎ：  ｃｏｍｐａｒｉｓｏｎ  ｗｉｔｈ  ｓｏｍｅ  ｐｕｒｐｏｒｔｅｄ  ＦＰ  ａｎａｔａｇｏｎｉｓｔｓ"，  Ｊ．  Ｐｈａｒｍ．  Ｐｈａｒｍａｃｏｌ．，  ５２（１２）：  １５２９−１５３９（２０００）  （Ａｂｓｔｒａｃｔ  Ｏｎｌｙ）
【非特許文献１４】ＷＡＤＡ，  Ｉ，  ｅｔ  ａｌ，  "Ｔｈｅ  ｂｅｎｅｆｉｔｓ  ｏｆ  ｌｏｗ−ｄｏｓｅ  ａｓｐｉｒｉｎ  ｔｈｅｒａｐｙ  ｉｎ  ｗｏｍｅｎ  ｗｉｔｈ  ｉｍｐａｉｒｅｄ  ｕｔｅｒｉｎｅ  ｐｅｒｆｕｓｉｏｎ  ｄｕｒｉｎｇ  ａｓｓｉｓｔｅｄ  ｃｏｎｃｅｐｔｉｏｎ"，  Ｈｕｍ．  Ｒｅｐｒｏｄ．，  ９（１０）：  １９５４−１９５７（１９９４）（Ａｂｓｔｒａｃｔ  Ｏｎｌｙ）
【非特許文献１５】ＷＯＬＬＥＮＨＡＵＰＴ，  Ｋ，  ｅｔ  ａｌ，  "Ｃｏｎｔｒｏｌ  ｏｆ  ｉｍｐｌａｎｔａｔｉｏｎ  ｉｎ  ｒａｔｓ  ａｎｄ  ｓｏｗｓ  ｂｙ  ｐｅｒｏｒａｌ  ａｄｍｉｎｉｓｔｒａｔｉｏｎ  ｏｆ  ｐｒｏｓｔａｇｌａｎｄｉｎ  ｓｙｎｔｈｅｔａｓｅ  ｉｎｈｉｂｉｔｏｒｓ．  ３，  Ｅｆｆｅｃｔｓ  ｏｆ  ｐｒｏｓｔａｇｌａｎｄｉｎ  Ｆ２  ａｌｐｈａ，  ｐｒｏｇｅｓｔｅｒｏｎｅ／ｅｓｔｒｏｎｅ，  ａｎｄ  ａｃｅｔｙｌｓａｌｉｃｙｌｉｃ  ａｃｉｄ  ｏｎ  ｉｍｐｌａｎｔａｔｉｏｎ  ａｎｄ  ｂｉｏｃｈｅｍｉｃａｌ  ｃｏｍｐｏｓｉｔｉｏｎ  ｏｆ  ａｍｎｉｏｔｉｃ  ｆｌｕｉｄ  ａｎｄ  ｆｅｔｕｓｅｓ  ｏｆ  ｙｏｕｎｇ  ｓｏｗｓ"，  Ａｒｃｈ．  Ｅｘｐ．  Ｖｅｔｅｒａｒｍｅｄ．，  ３５（３）：４７１−４８０（１９８１）（Ａｂｓｔｒａｃｔ  Ｏｎｌｙ）
【非特許文献１６】ＰＵＲＣＥＬＬ，  ＳＨ，  ｅｔ  ａｌ，  ：Ｅｆｆｅｃｔ  ｏｆ  ａ  ＣＩＤＲ  ｉｎｓｅｒｔ  ａｎｄ  ｆｌｕｎｉｘｉｎ  ｍｅｇｌｕｍｉｎｅ  ａｄｍｉｎｉｓｔｅｒｅｄ  ａｔ  ｔｈｅ  ｔｉｍｅ  ｏｆ  ｅｍｂｒｙｏ  ｔｒａｎｓｆｅｒ  ｏｎ  ｐｒｅｇｎａｎｃｙ  ｒａｔｅ  ａｎｄ  ｒｅｓｙｎｃｈｒｏｎｉｚａｔｉｏｎ  ｏｆ  ｅｓｔｒｕｓ  ｉｎ  ｂｅｅｆ  ｃａｔｔｌｅ"，  Ｊ．  Ａｎｉｍ．  Ｓｃｉ．，  ８２（ｓｕｐｐｌ．  １）：  １０３  （２００４）
【非特許文献１７】ＧＯＤＡ，  Ｓ．  ｅｔ  ａｌ，  "Ａｂｓｔｒａｃｔ  １３７  ?  Ｅｆｆｅｃｔ  ｏｆ  Ｆｌｕｎｉｘｉｎ  Ｍｅｇｌｕｍｉｎｅ  ｉｎ  Ｃｏ−ｃｕｌｔｕｒｅ  Ｍｅｄｉｕｍ  ｏｎ  ｔｈｅ  Ｄｅｖｅｌｏｐｍｅｎｔ…"，  Ｒｅｐｒｏｄｕｃｔｉｏｎ，  Ｆｅｒｔｉｌｉｔｙ  ａｎｄ  Ｄｅｖｅｌｏｐｍｅｎｔ，  １７（２）：  ２１９  （Ｊａｎ．  １，  ２００５）
【非特許文献１８】ＳＣＥＮＮＡ  Ｆ．Ｎ．  ｅｔ  ａｌ．  Ｉｎｆｌｕｅｎｃｅ  ｏｆ  ａ  ｐｒｏｓｔａｇｌａｎｄｉｎ  ｓｙｎｔｈｅｓｉｓ  ｉｎｈｉｂｉｔｏｒ  ａｄｍｉｎｉｓｔｅｒｅｄ  ａｔ  ｅｍｂｒｙｏ  ｔｒａｎｓｆｅｒ  ｏｎ  ｐｒｅｇｎａｎｃｙ  ｒａｔｅｓ  ｏｆ  ｒｅｃｉｐｉｅｎｔ  ｃｏｗｓ．  Ｐｒｏｓｔａｇｌａｎｄｉｎｓ  Ｏｔｈｅｒ  Ｌｉｐｉｄ  Ｍｅｄｉａｔ．  （２００５），  Ｖｏｌ．  ７８，  Ｎｏ．  １−1，  ｐａｇｅｓ  ３８−４５
【非特許文献１９】ＰＵＲＣＥＬＬ  Ｓ．Ｈ．  ｅｔ  ａｌ．  Ｅｆｆｅｃｔ  ｏｆ  ａ  ＣＩＤＲ  ｉｎｓｅｒｔ  ａｎｄ  ｆｌｕｎｉｘｉｎ  ｍｅｇｌｕｍｉｎｅ，  ａｄｍｉｎｉｓｔｅｒｅｄ  ａｔ  ｔｈｅ  ｔｉｍｅ  ｏｆ  ｅｍｂｒｙｏ  ｔｒａｎｓｆｅｒ，  ｏｎ  ｐｒｅｇｎａｎｃｙ  ｒａｔｅｄ  ａｎｄ  ｒｅｓｙｎｃｈｏｎｉｚａｔｉｏｎ  ｏｆ  ｅｓｔｒｕｓ  ｉｎ  ｂｅｅｆ  ｃａｔｔｌｅ．  Ｔｈｅｒｉｏｇｅｎｏｌｏｇｙ  （２００５），  Ｖｏｌ．  ６４，  Ｎｏ．  ４，  ｐａｇｅｓ  ８６７−８７８
【非特許文献２０】ＳＣＨＲＩＣＫ  ｅｔ  ａｌ，  Ｔｈｅｒｉｏｇｅｎｏｌｏｇｙ  ５５（１）：  Ｓｕｐｐｌ．  Ｐ．  ３７０，  ２００１